【手続補正書】
【提出日】平成20年8月27日(2008.8.27)
【手続補正１】
【補正対象書類名】特許請求の範囲
【補正対象項目名】全文
【補正方法】変更
【補正の内容】
【特許請求の範囲】
【請求項１】
始動条件が成立することに伴い抽選を行う抽選手段と、その抽選手段によってなされた抽選の抽選結果に応じて識別情報の変動表示を行う表示装置と、その表示装置で行われる前記識別情報の変動表示の制御を行う表示制御手段とを備えた遊技機において、
複数ビットから構成される１単位のデータサイズを有し、それらの複数ビットにおける一部又は全部のビットの使用によって表現可能な範囲の値の中から、１つの値ｍ［ｍは０以上の整数］を取得する値取得手段と、
前記抽選結果に応じてなされる前記識別情報の変動表示の変動パターンとして、ｘ種類の変動パターン［ｘは、２以上の整数］を記憶する変動パターン振分記憶手段であって、前記ｘ種類の変動パターンにおける第ｎ番目の変動パターン［ｎは、１からｘまでの整数］と、前記値取得手段によって取得され得る値ｍの個数Ｍに対する前記第ｎ番目の変動パターンの配分値Ｎｎ［各ｎに対するＮｎは、いずれも１以上の整数であると共に、（Ｎ１＋Ｎ２＋…＋Ｎ（ｎ−１））＜Ｍ］とを関連付けて記憶する変動パターン振分記憶手段と、
前記値取得手段によって取得された値ｍを用いて、減算式｛ｍ−（Ｎ１＋Ｎ２＋…＋Ｎｎ）｝に従う演算を、ｎの値をｎ＝１からｎ＝ｘまで順次変化させつつ行う減算手段と、
その減算手段により前記減算式に従って演算を行う場合に、ｎの値を１変化させる毎に、前記演算によって得られた値が０未満又は０以下であるかを判定する減算値判定手段と、
その減算値判定手段により前記減算式に従う演算によって得られた値が０未満又は０以下となった場合に、その際の値Ｎｎに対応する第ｎ番目の変動パターンを、前記表示装置で変動表示する前記識別情報の変動パターンとして前記変動パターン振分記憶手段から選択する変動パターン選択手段とを備え、
前記表示制御手段は、前記変動パターン選択手段により選択された第ｎ番目の変動パターンに基づいて、前記表示装置で行われる前記識別情報の変動表示の制御を行うものであり、
前記変動パターン振分記憶手段における第ｘ番目の変動パターンに対応する数値Ｎｘの値が、前記１単位のデータサイズが取り得る最大値以上の数値に設定されていることを特徴とする遊技機。
【請求項２】
Ａ＝［（前記値取得手段によって取得され得る値ｍの個数Ｍ）−（Ｎ１＋Ｎ２＋…＋Ｎ（ｎ−１））］とした場合に、前記変動パターン振分記憶手段において、第ｘ番目の変動パターンに対応する数値Ｎｘの値は、［（前記１単位のデータサイズが取り得る最大値以上の数値）−Ａ＋Ａ］又は［（前記１単位のデータサイズが取り得る最大値以上の数値）＋Ａ−Ａ］の形式で記憶されていることを特徴とする請求項１記載の遊技機。
【請求項３】
前記値取得手段により取得され得る値ｍの個数Ｍが１００であり、式［Ｎ１＋Ｎ２＋…＋Ｎ（ｎ−１）＋Ａ］によって得られる値が１００であることを特徴とする請求項２記載の遊技機。
【請求項４】
変動パターン振分記憶手段は、前記抽選結果の種類に応じて各々異なる内容が記憶されている複数の変動パターン振分記憶手段から構成されるものであり、それらの複数の変動パターン振分記憶手段から、前記抽選結果の種類に応じた変動パターン振分記憶手段を選択する振分テーブル選択手段を備えていることを特徴とする請求項１から３のいずれかに記載の遊技機。
【手続補正２】
【補正対象書類名】明細書
【補正対象項目名】００１３
【補正方法】変更
【補正の内容】
【００１３】
この目的を達成するために請求項１記載の遊技機は、始動条件が成立することに伴い抽選を行う抽選手段と、その抽選手段によってなされた抽選の抽選結果に応じて識別情報の変動表示を行う表示装置と、その表示装置で行われる前記識別情報の変動表示の制御を行う表示制御手段とを備えたものであって、さらに、複数ビットから構成される１単位のデータサイズを有し、それらの複数ビットにおける一部又は全部のビットの使用によって表現可能な範囲の値の中から、１つの値ｍ［ｍは０以上の整数］を取得する値取得手段と、前記抽選結果に応じてなされる前記識別情報の変動表示の変動パターンとして、ｘ種類の変動パターン［ｘは、２以上の整数］を記憶する変動パターン振分記憶手段であって、前記ｘ種類の変動パターンにおける第ｎ番目の変動パターン［ｎは、１からｘまでの整数］と、前記値取得手段によって取得され得る値ｍの個数Ｍに対する前記第ｎ番目の変動パターンの配分値Ｎｎ［各ｎに対するＮｎは、いずれも１以上の整数であると共に、（Ｎ１＋Ｎ２＋…＋Ｎ（ｎ−１））＜Ｍ］とを関連付けて記憶する変動パターン振分記憶手段と、前記値取得手段によって取得された値ｍを用いて、減算式｛ｍ−（Ｎ１＋Ｎ２＋…＋Ｎｎ）｝に従う演算を、ｎの値をｎ＝１からｎ＝ｘまで順次変化させつつ行う減算手段と、その減算手段により前記減算式に従って演算を行う場合に、ｎの値を１変化させる毎に、前記演算によって得られた値が０未満又は０以下であるかを判定する減算値判定手段と、その減算値判定手段により前記減算式に従う演算によって得られた値が０未満又は０以下となった場合に、その際の値Ｎｎに対応する第ｎ番目の変動パターンを、前記表示装置で変動表示する前記識別情報の変動パターンとして前記変動パターン振分記憶手段から選択する変動パターン選択手段とを備え、前記表示制御手段は、前記変動パターン選択手段により選択された第ｎ番目の変動パターンに基づいて、前記表示装置で行われる前記識別情報の変動表示の制御を行うものであり、前記変動パターン振分記憶手段における第ｘ番目の変動パターンに対応する数値Ｎｘの値が、前記１単位のデータサイズが取り得る最大値以上の数値に設定されている。
請求項２記載の遊技機は、請求項１記載の遊技機において、Ａ＝［（前記値取得手段によって取得され得る値ｍの個数Ｍ）−（Ｎ１＋Ｎ２＋…＋Ｎ（ｎ−１））］とした場合に、前記変動パターン振分記憶手段において、第ｘ番目の変動パターンに対応する数値Ｎｘの値は、［（前記１単位のデータサイズが取り得る最大値以上の数値）−Ａ＋Ａ］又は［（前記１単位のデータサイズが取り得る最大値以上の数値）＋Ａ−Ａ］の形式で記憶されている。
請求項３記載の遊技機は、請求項２記載の遊技機において、前記値取得手段により取得され得る値ｍの個数Ｍが１００であり、式［Ｎ１＋Ｎ２＋…＋Ｎ（ｎ−１）＋Ａ］によって得られる値が１００である。
請求項４記載の遊技機は、請求項１から３のいずれかに記載の遊技機において、変動パターン振分記憶手段は、前記抽選結果の種類に応じて各々異なる内容が記憶されている複数の変動パターン振分記憶手段から構成されるものであり、それらの複数の変動パターン振分記憶手段から、前記抽選結果の種類に応じた変動パターン振分記憶手段を選択する振分テーブル選択手段を備えている。
【手続補正３】
【補正対象書類名】明細書
【補正対象項目名】００２４
【補正方法】変更
【補正の内容】
【００２４】
なお、請求項１において、「１単位のデータサイズ」は、複数ビットから構成される単位データ（例えば、２ビット、４ビット、１バイト、２バイトなど）のデータサイズを意味する。
請求項２記載の遊技機によれば、請求項１記載の遊技機の奏する効果に加えて、次の効果を奏する。変動パターン振分記憶手段において、第ｘ番目の変動パターンに対応する数値Ｎｘの値が、［（１単位のデータサイズが取り得る最大値以上の数値）−Ａ＋Ａ］又は［（１単位のデータサイズが取り得る最大値以上の数値）＋Ａ−Ａ］の形式（ただし、Ａ＝［（値取得手段によって取得され得る値ｍの個数Ｍ）−（Ｎ１＋Ｎ２＋…＋Ｎ（ｎ−１））］）で記憶されている。よって、（Ｎ１＋Ｎ２＋…＋Ｎ（ｎ−１）＋Ａ）＝（値取得手段によって取得され得る値ｍの個数Ｍ）となるので、開発作業時における判定値の変更（調整）作業の際に、全ての変動パターンの現出確率が一見にして把握しやすくなる。よって、そのような変更（調整）作業の煩雑さが緩和されるという利点があると共に、開発作業時におけるデバック作業も行いやすくなるといる効果がある。
請求項３記載の遊技機によれば、請求項２記載の遊技機の奏する効果に加えて、次の効果を奏する。値取得手段により取得され得る値ｍの個数Ｍが１００であり、式［Ｎ１＋Ｎ２＋…＋Ｎ（ｎ−１）＋Ａ］によって得られる値が１００であるので、判定値Ｎ１，Ｎ２，…，Ｎ（ｎ−１）、及び値Ａは、いずれも、その値自体が現出確率を百分率で表すものとなる。よって、開発作業時に、作業者は全ての変動パターンの現出確率を一見にして把握しやすくなるので、そのような変更（調整）作業における煩雑さが緩和されるという効果がある。
請求項４記載の遊技機によれば、請求項１から３のいずれかに記載の遊技機の奏する効果に加えて、次の効果を奏する。抽選結果の種類に応じて各々異なる内容が記憶されている複数の変動パターン振分記憶手段から、抽選結果の種類に応じた変動パターン振分記憶手段が、振分テーブル選択手段により選択されるので、抽選結果の種類に応じた変動パターンが、抽選結果の種類に応じた配分で表示装置に表示されることになる。よって、例えば、抽選結果が大当たりであった場合にはより期待感を持たせるように、一方で抽選結果が外れであった場合であっても、遊技者の期待感を喪失させないように、各種変動パターンを適切な確率で出現させることができるという効果がある。